(57)【要約】        要約書【課題】  椅子から立ち上がるときの腰への負担を軽減できるようにした腰痛防止用椅子を提供する。【解決手段】  座部１と、座部１を支持する脚部２ａ、２ｂ、２ｃ、２ｄと、背もたれ部３とから腰痛防止用椅子１００を構成する。座部１に、その前縁から中央部に向かって狭くなるような形状の切込み部５を設ける。人が腰痛防止用椅子１００に座ると、両脚が、その前縁から中央部に向かって狭くなるような形状の切込み部５に入る。このため、腰痛防止用椅子１００に座るときに、人間の両脚が自然に揃うようになる。このような脚を閉じた姿勢で椅子から立ち上がると、腰への負担が軽減され、腰痛の発生が防止できる。【選択図】      図１
2005065787.tif 000002
【特許請求の範囲】
【請求項１】
座部と、前記座部を支持する脚部と、背もたれ部とからなる椅子において、
前記座部に、その前縁から中央部に向かって狭くなるような形状の切込み部を設けるようにしたことを特徴とする腰痛防止用椅子。
【請求項２】
前記座部の両側に、補助把手を設けるようにしたことを特徴とする請求項１に記載の腰痛防止用椅子。
【請求項３】
前記座部を回動自在に支持するようにしたことを特徴とする請求項１に記載の腰痛防止用椅子。
【請求項４】
前記切込み部の２辺は直交することを特徴とする請求項１に記載の腰痛防止用椅子。
【発明の詳細な説明】
【技術分野】
【０００１】
本発明は、特に、腰に負担をかけることなく椅子から立ち上がることができるようにした腰痛防止用椅子に関する。
【背景技術】
【０００２】
長時間、椅子に座っていると、腰に負担がかかり、腰痛を引き起こすことがある。そこで、腰に負担をかけることがないように、椅子の背もたれの部分に工夫を施した椅子が提案されている。たとえば、特許文献１には、椅子の背もたれの腰の当たる部分に、人体の腰椎を支持する目的の凸形状を取り付けるようにしたものが提案されている。このような部材を椅子の背もたれに取り付けると、背筋がまっすぐに伸び、長時間椅子に座っていても、腰への負担がかからなくなる。
【特許文献１】特開２００３−７９４７７号公報
【発明の開示】
【発明が解決しようとする課題】
【０００３】
しかしながら、腰痛は、椅子に座っているときよりも、むしろ、椅子から立ち上がるときに発生することが多い。すなわち、不用意に椅子から立ち上がるときに、腰に負担がかかり、腰に激痛が走るというような経験を持つ者は多い。特許文献１に示されているように、椅子の背もたれに工夫を施して腰痛を軽減するようにした従来の椅子は、長時間、椅子に座っている間の腰への負担は軽減できるが、椅子から立ち上がるときの腰への負担は軽減できない。
【０００４】
本発明は、上述の従来の課題を鑑み、特に、椅子から立ち上がるときの腰への負担を軽減できるようにした腰痛防止用椅子を提供することにある。
【課題を解決するための手段】
【０００５】
上述の課題を解決するために、本発明の腰痛防止用椅子は、座部と、前記座部を支持する脚部と、背もたれ部とからなる椅子において、前記座部に、その前縁から中央部に向かって狭くなるような形状の切込み部を設けるようにしたことを特徴とする。
【０００６】
好ましくは、前記座部の両側に、補助把手を設けるようにしている。また、好ましくは、前記座部を回動自在に支持するようにしている。また、好ましくは、切込み部の２辺は直交することを特徴とする。
【発明の効果】
【０００７】
本発明によれば、座部と、前記座部を支持する脚部と、背もたれ部とからなる椅子において、前記座部に、その前縁から中央部に向かって狭くなるような形状の切込み部を設けるようにしている。このため、人が椅子に座ると、両脚が、その前縁から中央部に向かって狭くなるような形状の切込み部に入る。このため、両脚が自然に揃うようになり、椅子から立ち上がるときに、腰への負担が軽減され、腰痛の発生が防げる。
【０００８】
また、本発明では、前記座部の両側に、補助把手を設けるようにしている。この補助把手は椅子から立ち上がるときに補助となり、腰への負担が軽減できる。
【０００９】
また、本発明では、前記座部を回動自在に支持するようにしている。このように、座部が回動自在となっているので、腰を回して体の向きを変える必要がなく、座部を回転させることで、椅子に座ったり、椅子から立ち上がったりするときにも、不自由にならない。
【発明を実施するための最良の形態】
【００１０】
第１の実施形態．
以下、本発明の実施形態について図面を参照して説明する。図１は、本発明の第１の実施形態の椅子を示すものである。図１において、本発明が適用された腰痛防止用椅子１００は、椅子に座る人の臀部が位置する座部１と、座部１を支持する４本の脚部２ａ、２ｂ、２ｃ、２ｄと、椅子に座る人の背部が位置する背もたれ部３とから構成される。座部１、脚部２ａ、２ｂ、２ｃ、２ｄ、背もたれ部３は、たとえば、木材やスチール等から加工される。座部１や、背もたれ部３の表面には、ウレタン材などを使用して、クッションを設けるようにしてもよい。座部１には、その前縁から中央部に向かって狭くなるような形状の切込み部５が設けられる。
【００１１】
このように、本発明の第１の実施形態では、座部１に、その前縁から中央部に向かって狭くなるような形状の切込み部５が設けられる。このため、両脚が自然に揃うような姿勢で椅子に座ることになる。このような脚を閉じた姿勢で椅子から立ち上がると、腰への負担が軽減され、腰痛の発生が防止できる。
【００１２】
すなわち、椅子から立ち上がるときの腰の負担を減らすには、両脚を揃えて立ち上がることが重要である。脚を開いたまま椅子から立ち上がると、腰をひねったり、片脚に無理な荷重がかかり、腰に負担がかかったりすることがある。両脚を揃えて椅子から立ち上がるようにすれば、椅子から立ち上がるときに腰をひねることがなく、また、両脚に平等に荷重がかかり、腰への負担が軽減する。
【００１３】
本発明の第１の実施形態では、座部１に、その前縁から中央部に向かって狭くなるような形状の切込み部５が設けられる。このため、人が腰痛防止用椅子１００に座ると、図２（Ａ）および図２（Ｂ）に示すように、両脚１１ａおよび１１ｂが切込み部５に入る。切込み部５は、その前縁から中央部に向かって狭くなるような形状になっている。このため、両脚１１ａおよび１１ｂが切込み部５に入ると、切込み部５の側壁に沿って、両脚１１ａおよび１１ｂは自然に揃うようになる。このため、椅子から立ち上がるときに、両脚１１ａ、１１ｂが揃った状態で立ち上がることができるので、腰への負担が軽減され、腰痛の発生が防げる。また、椅子に座っているときに両脚が自然に揃うようになり、特に女性の場合には、美しい座り方が自然に行えるようになる。
【００１４】
なお、上述の例では、切込み部５の形状を三角形としている。最良の状態では、この切込み部５の２辺は直交しており、直角三角形となっている。すなわち、最良の状態では、切込み部５の２辺は９０度である。また、切込み部５の形状は、図３（Ａ）に示すように、台形の形状としてもよい。また、図３（Ｂ）に示すように、切込み部５を丸みを持った形状としてもよい。切込み部５は、両脚が入り、その前縁から中央部に向かって狭くなるような形状であれば、どのような形状であってもよい。
【００１５】
さらに、図４に示すように、切込み部５の幅Ｔを広くすることが望ましい。すなわち、切込み部５の幅Ｔが狭いと、切込み部５が脚に当たり、脚が痛くなる。切込み部５の幅Ｔを広くすることにより、脚との接触面積が大きくなり、長く椅子に座っていても、切込み部５により脚が押されて、脚が痛くなることが防止できる。また、切込み部５に、ウレタン等の保護部材を設けるようにしてもよい。
第２の実施形態．
図５は、本発明の第２の実施形態を示すものである。この実施形態では、座部１の両側面に、補助把手６ａ、６ｂが取り付けられる。この補助把手６ａ、６ｂに掴まると、人間が腰痛防止用椅子１０４から立ち上がるときに、腰への負担が軽減できる。すなわち、腰痛防止用椅子１０４に座っている人は、補助把手６ａ、６ｂを握って、椅子から立ち上がるようにすると、腕の力が補助となり、椅子から楽に立ち上がることができる。このため、椅子から立ち上がるときの腰への負担が軽減できる。勿論、補助把手６ａ、６ｂは、腰痛防止用椅子１０４に座っているときには、肘掛けとして利用することができる。
第３の実施形態．
図６は、本発明の第３の実施形態を示すものである。この実施形態では、座部１が回動自在となっている。すなわち、図６に分解斜視図で示すように、ベース部材７に脚部２ａ、２ｂ、２ｃ、２ｄが取り付けられる。このベース部材７の中心に回転軸８が設けられる。座部１の底面に軸受部材９が設けられ、この軸受部材９が回転軸８に回動自在に嵌合される。
【００１６】
本発明が適用された腰痛防止用椅子１０５では、切込み部５により脚の位置が規制されるため、座部１の上で腰を回して、体の向きを変えることが困難である。このため、椅子に座ったり、椅子から立ち上がったりするときに不自由な場合がある。そこで、この実施形態では、座部１が回動自在となっている。この実施形態では、座部１が回動自在となっているので、腰を回して体の向きを変える必要がなく、座部１を回転させることで、容易に椅子に座ったり、椅子から立ち上がったりすることができる。また、座部１が回動自在となっていると、椅子に座っているときも、自由に体の方向を変えられ、また、立ち上がるときに無理に腰を回して、腰をひねることがなくなる。従って、本実施の形態によれば、椅子から立ち上がるときに、両脚が揃ったまま体の方向を変えることができ、椅子から立ち上がるときの腰痛の発生を防止できる。
【００１７】
なお、本発明は、上述の実施形態に限定されるものではなく、上記実施形態を適宜、組み合わせてもよい。本発明は、上述した実施形態に限定されるものではなく、この発明の要旨を逸脱しない範囲内で様々な変形や応用が可能である。
【図面の簡単な説明】
【００１８】
【図１】本発明の第１の実施形態の斜視図である。
【図２】本発明の第１の実施形態の説明に用いる正面図および平面図である。
【図３】本発明の第１の実施形態における切込み部の形状の説明に用いる図である。
【図４】本発明の第１の実施形態における切込み部の説明に用いる図である。
【図５】本発明の第２の実施形態の斜視図である。
【図６】本発明の第３の実施形態の分解斜視図である。
【符号の説明】
【００１９】
１：座部、
２ａ、２ｂ、２ｃ、２ｄ：脚部、
３：背もたれ部、
５：切込み部、
６ａ、６ｂ：補助把手、
７：ベース部材、
８：回転軸、
９：軸受部材、
１０１〜１０５：腰痛防止用椅子
【図１】
2005065787.tif 000003
【図２】
2005065787.tif 000004
【図３】
2005065787.tif 000005
【図４】
2005065787.tif 000006
【図５】
2005065787.tif 000007
【図６】
2005065787.tif 000008